(57)【要約】【課題】排出位置に排出された原稿の取り忘れを確実に防止する。【解決手段】複数枚のシート状の原稿Ｐを所定の給紙位置に積層して載置可能に構成され、載置された原稿Ｐを１枚毎に原稿読取位置ＲＰまで給紙した後、給紙位置の下側に設定された所定の排出位置に排出するＡＤＦ（原稿給紙装置）１であって、上面が給紙位置に略平面状に形成された給紙トレイ１１と、上面が排出位置に略平面状に形成された排紙トレイ１５と、給紙位置と排出位置との間を昇降自在に構成され、給紙位置及び排出位置において、上面が原稿Ｐの一部を支持するべく構成された移動トレイ１２と、を備える。【選択図】図２
2007320707.tif 000002
【特許請求の範囲】
【請求項１】
複数枚のシート状の原稿を所定の給紙位置に積層して載置可能に構成され、載置された原稿を１枚毎に所定位置まで給紙した後、前記給紙位置の下側に設定された所定の排出位置に排出する原稿給紙装置であって、
上面が前記給紙位置に略平面状に形成された給紙トレイと、
上面が前記排出位置に略平面状に形成された排紙トレイと、
前記給紙位置と前記排出位置との間を昇降自在に構成され、前記給紙位置及び排出位置において、上面が原稿の一部を支持するべく構成された移動トレイと、
を備えることを特徴とする原稿給紙装置。
【請求項２】
前記移動トレイを昇降自在に支持する略円柱状の支持部材を備え、
前記移動トレイは、給紙方向と直交する方向の少なくとも一方の端部に、前記支持部材を摺動可能に貫通させる孔部が形成されていることを特徴とする請求項１に記載の原稿給紙装置。
【請求項３】
前記給紙位置の上方に配設され、最上面の原稿を所定位置まで給紙する給紙ローラと、
前記給紙トレイに載置された原稿の先端部を支持すると共に、給紙時に原稿の先端部を前記給紙ローラに圧着させるべく付勢する略平板状のリフト部材と、
前記リフト部材及び移動トレイを駆動する駆動手段と、
を備え、
前記駆動手段は、前記リフト部材と連動して前記移動トレイを昇降することを特徴とする請求項１又は請求項２に記載の原稿給紙装置。
【請求項４】
前記排紙トレイ上の原稿の有無を検出する検出手段を備え、
前記駆動手段は、前記検出手段の検出結果に基づいて、前記移動トレイを昇降することを特徴とする請求項３に記載の原稿給紙装置。
【請求項５】
前記移動トレイは、原稿を支持する上面が、原稿の各辺と略平行な辺を有する矩形に形成され、前記給紙位置及び前記排出位置に予め設定された最小サイズの原稿が載置された場合に、前記矩形の１の頂点が、前記最小サイズの原稿の中心位置と略一致するべく形成されていることを特徴とする請求項１〜請求項４のいずれかに記載の原稿給紙装置。
【請求項６】
請求項１〜請求項５のいずれかに記載の原稿給紙装置と、
前記原稿給紙装置から供給された原稿に形成された画像を読み取り、前記画像に対応する画像データを生成する画像情報生成手段と、
を備えることを特徴とする画像読取装置。
【請求項７】
該画像読取装置の給紙方向と直交する方向の一方側端部に配設され、外部からの操作を受け付ける操作手段を備え、
前記原稿給紙装置に配設された移動トレイの原稿を支持する上面は、前記操作手段が配設される前記一方側に配設されることを備えることを特徴とする請求項６に記載の画像読取装置。
【発明の詳細な説明】
【技術分野】
【０００１】
本発明は、複数枚のシート状の原稿を所定の給紙位置に積層して載置可能に構成され、載置された原稿を１枚毎に所定位置まで給紙した後、前記給紙位置の下方に設定された所定の排出位置に排出する原稿給紙装置及び画像読取装置に関するものである。特に、スキャナ、複写機、ファクシミリ、及び、これらの機能の内のいずれかの機能を有する複合機に関するものである。
【背景技術】
【０００２】
複数枚のシート状の原稿を所定の給紙位置に積層して載置可能に構成され、載置された原稿を１枚毎に、スキャナでの画像読取位置まで給紙した後、給紙位置の下方に設定された所定の排出位置に排出する原稿給紙装置を備えた複写機等の画像読取装置が知られている。このような複写機においては、コピーを開始する旨の操作が入力されると、給紙位置にセットされた原稿は１枚毎に、順次、画像読取位置まで搬送され、排出位置に排出されて積層される。そして、排出位置に排出された原稿は、コピー完了後、ユーザによって取り出される。
【０００３】
しかしながら、上記複写機において、排出位置は給紙位置の下方に設定されており、且つ、排出位置と給紙位置との間隔は、複写機の小型化の要求に対応して最小限に抑えられているため、排出位置に排出された原稿は、ユーザから視認し難い状態であった。その結果、ユーザは、排出位置に排出された原稿の存在に気が付かず、原稿を取り忘れるおそれがある。
【０００４】
上記の問題を解消するために種々の複写機が提案されている。例えば、排出位置に排出された原稿の有無を検出する排出原稿検出センサからの信号に基づいて、排出位置に排出された原稿が取り除かれていないと判断された場合に、表示パネルに、原稿が未だ原稿排出トレイ上に存在する旨の表示を行う複写機が開示されている（特許文献１参照）。この複写機によれば、ユーザが排出位置に排出された原稿を取り忘れることが防止される。
【特許文献１】特開２００１−３１２１０６号公報
【発明の開示】
【発明が解決しようとする課題】
【０００５】
しかしながら、表示パネルには、ガイダンス情報、設定情報等の種々の情報が表示されるため、ユーザは、表示パネルに表示された情報を視認して正確に把握しているとは限らない。例えば、少ない枚数のコピーを行う場合には、コピーを開始する旨の操作をした後、印刷出力された記録紙を持ち帰ることに意識が集中している場合がある。このような場合には、ユーザは、表示パネルに原稿が未だ原稿排出トレイ上に存在する旨の表示がされているにも拘わらず、排出位置に排出された原稿を取り忘れる場合がある。
【０００６】
本発明は、上記課題に鑑みてなされたものであって、排出位置に排出された原稿の取り忘れを確実に防止することの可能な原稿給紙装置及び画像読取装置を提供することを目的としている。
【課題を解決するための手段】
【０００７】
上記目的を達成するために請求項１に記載の原稿給紙装置は、複数枚のシート状の原稿を所定の給紙位置に積層して載置可能に構成され、載置された原稿を１枚毎に所定位置まで給紙した後、前記給紙位置の下側に設定された所定の排出位置に排出する原稿給紙装置であって、上面が前記給紙位置に略平面状に形成された給紙トレイと、上面が前記排出位置に略平面状に形成された排紙トレイと、前記給紙位置と前記排出位置との間を昇降自在に構成され、前記給紙位置及び排出位置において、上面が原稿の一部を支持するべく構成された移動トレイと、を備えることを特徴としている。
【０００８】
請求項２に記載の原稿給紙装置は、請求項１に記載の原稿給紙装置であって、前記移動トレイを昇降自在に支持する略円柱状の支持部材を備え、前記移動トレイが、給紙方向と直交する方向の少なくとも一方の端部に、前記支持部材を摺動可能に貫通させる孔部が形成されていることを特徴としている。
【０００９】
請求項３に記載の原稿給紙装置は、請求項１又は請求項２に記載の原稿給紙装置であって、前記給紙位置の上方に配設され、最上面の原稿を所定位置まで給紙する給紙ローラと、前記給紙トレイに載置された原稿の先端部を支持すると共に、給紙時に原稿の先端部を前記給紙ローラに圧着させるべく付勢する略平板状のリフト部材と、前記リフト部材及び移動トレイを駆動する駆動手段と、を備え、前記駆動手段が、前記リフト部材と連動して前記移動トレイを昇降することを特徴としている。
【００１０】
請求項４に記載の原稿給紙装置は、請求項３に記載の原稿給紙装置と、前記排紙トレイ上の原稿の有無を検出する検出手段を備え、前記駆動手段が、前記検出手段の検出結果に基づいて、前記移動トレイを昇降することを特徴としている。
【００１１】
請求項５に記載の原稿給紙装置は、請求項１〜請求項４のいずれかに記載の原稿給紙装置であって、前記移動トレイが、原稿を支持する上面が、原稿の各辺と略平行な辺を有する矩形に形成され、前記給紙位置及び前記排出位置に予め設定された最小サイズの原稿が載置された場合に、前記矩形の１の頂点が、前記最小サイズの原稿の中心位置と略一致するべく形成されていることを特徴としている。
【００１２】
請求項６に記載の画像読取装置は、請求項１〜請求項５のいずれかに記載の原稿給紙装置と、前記原稿給紙装置から供給された原稿に形成された画像を読み取り、前記画像に対応する画像データを生成する画像情報生成手段と、を備えることを特徴としている。
【００１３】
請求項７に記載の画像読取装置は、請求項６に記載の画像読取装置であって、画像読取装置の給紙方向と直交する方向の一方側端部に配設され、外部からの操作を受け付ける操作手段を備え、前記原稿給紙装置に配設された移動トレイの原稿を支持する上面が、前記操作手段が配設される前記一方側に配設されることを備えることを特徴としている。
【発明の効果】
【００１４】
請求項１に記載の原稿給紙装置によれば、排出位置において移動トレイの上面が排出された原稿の一部を支持しており、移動トレイの上面が給紙位置と排出位置との間で昇降移動する空間（＝移動トレイの上面の昇降中の軌跡に対応する空間）が存在するため、この空間を介して排出位置に載置された原稿が視認可能となるので、排出位置に排出された原稿の取り忘れを確実に防止することができる。
【００１５】
請求項２に記載の原稿給紙装置によれば、給紙方向と直交する方向の少なくとも一方の端部に形成され、支持部材を摺動可能に貫通させる孔部を介して、略円柱状の支持部材によって移動トレイが昇降自在に支持されるため、簡単な構成で的確な軌跡を形成するべく移動トレイを昇降させることが可能となる。
【００１６】
請求項３に記載の原稿給紙装置によれば、給紙時に原稿の先端部を給紙ローラに圧着させるべく付勢する略平板状のリフト部材と連動して、移動トレイが昇降されるため、リフト部材の駆動手段が移動トレイを昇降するための駆動手段と兼用され、装置を簡略化することができる。
【００１７】
請求項４に記載の原稿給紙装置によれば、排紙トレイ上の原稿の有無の検出結果に基づいて、移動トレイが昇降されるため、適正なタイミングで移動トレイを昇降することができる。例えば、給紙が開始された時点で移動トレイを排出位置まで下降させ、排出された原稿が取り除かれた時点で移動トレイを給紙位置まで上昇させることができる。
【００１８】
請求項５に記載の原稿給紙装置によれば、給紙位置及び排出位置に予め設定された最小サイズの原稿が載置された場合に、移動トレイの原稿を支持する上面を構成する矩形の１の頂点が、最小サイズの原稿の中心位置と略一致するべく形成されているため、移動トレイの上面が給紙位置と排出位置との間で昇降移動する空間（＝移動トレイの上面の昇降中の軌跡に対応する空間）を適正な位置及びサイズで形成することができるので、排出位置に排出された原稿の取り忘れを更に確実に防止することができる。すなわち、原稿が最小サイズの原稿である場合にも、原稿の全面積の略１／４の部分が移動トレイの上面で支持されることになるため、排出位置に排出された原稿を確実に視認することができる。
【００１９】
請求項６に記載の画像読取装置によれば、請求項１〜請求項５のいずれかに記載の原稿給紙装置を備え、この原稿給紙装置から供給された原稿に形成された画像が読み取られ、この画像に対応する画像データが生成されるため、排出位置に載置された原稿が視認可能で、排出位置に排出された原稿の取り忘れを確実に防止することの可能な画像読取装置を実現することができる。
【００２０】
請求項７に記載の画像読取装置によれば、原稿給紙装置に配設された移動トレイの原稿を支持する上面が、外部からの操作を受け付ける操作手段が配設される側に配設されるため、ユーザが操作する側を移動トレイが昇降することになるので、排出位置に排出された原稿の視認性を更に改善することができる。
【発明を実施するための最良の形態】
【００２１】
以下、本発明に係る画像読取装置の一例について図面を参照して説明する。図１は、本発明に係る画像読取装置の概略構成の一例を示すブロック図である。なお、ここでは、画像読取装置が、スキャナである場合について説明するが、複数枚のシート状の原稿を所定の給紙位置に積層して載置可能に構成され、載置された原稿を１枚毎に所定位置まで給紙した後、前記給紙位置の下側に設定された所定の排出位置に排出する原稿給紙装置を備える他の形態の画像読取装置（例えば、ファクシミリ、複写機、複合機等）でもよい。図１に示すように、スキャナ１００は、画像生成部１１０、操作部１２０、表示部１３０、及び、制御部１４０を備えている。
【００２２】
画像生成部１１０は、原稿に形成された画像を読み取り原稿画像情報を生成するものであって、画像読取部１１１及びＡＤＦ（Ａｕｔｏｍａｔｉｃ  Ｄｏｃｕｍｅｎｔ  Ｆｅｅｄｅｒ）１を備えている。画像読取部１１１は、読み取る対象の原稿に光を当て、反射光をＣＣＤ（Ｃｈａｒｇｅ  Ｃｏｕｐｌｅｄ  Ｄｅｖｉｃｅｓ）などで読み取って原稿画像情報を生成するものである。本発明に係るＡＤＦ１（原稿給紙装置に相当する）は、画像読取部１１１の原稿読取り位置へ原稿を搬送するものである。具体的には、ＡＤＦ１は、複数枚のシート状の原稿を所定の給紙位置に積層して載置可能に構成され、載置された原稿を１枚毎に画像読取部１１１の原稿読取り位置まで給紙した後、給紙位置の下側に設定された所定の排出位置に排出するものである。
【００２３】
操作部１２０は、ユーザからの操作入力を受け付けて、受け付けられた操作入力に対応する操作入力情報を生成し、制御部１４０（ＣＰＵ１４１）に出力するものである。操作部１２０は、例えば、テンキー、スタートボタン等の各種ボタン、及び、表示部１３０に配設されたＬＣＤと一体に形成されたタッチパネル等を備えている。
【００２４】
表示部１３０は、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）等を備え、制御部１４０（ＣＰＵ１４１）からの指示に基づき、設定情報、ガイダンス情報、メッセージ情報等をユーザから視認可能に表示するものである。また、表示部１３０には、警報として異常（ここでは、排出位置に排出された原稿の取り忘れ）が発生した場合にブザー音を出力するブザーが配設されている。
【００２５】
制御部１４０は、スキャナ１００全体の動作を制御するものであって、ＣＰＵ（Ｃｅｎｔｒａｌ  Ｐｒｏｃｅｓｓｉｎｇ  Ｕｎｉｔ）１４１と、ＲＡＭ（Ｒａｎｄｏｍ  Ａｃｃｅｓｓ  Ｍｅｍｏｒｙ）１４２と、図略のＲＯＭ（Ｒｅａｄ  Ｏｎｌｙ  Ｍｅｍｏｒｙ）とを備えている。
【００２６】
図２は、ＡＤＦ１の構成の一例を示す構成図である。（ａ）は、平面図であり、（ｂ）は側面断面図である。ＡＤＦ１は、給紙トレイ１１、移動トレイ１２、リフト部材１３、給紙ローラ１４、排紙トレイ１５、及び、排紙検出センサ１６を備えている。
【００２７】
給紙トレイ１１は、上面が所定の給紙位置に略平面状に形成され、上面に複数枚のシート状の原稿Ｐが積層して載置されるものである。また、給紙トレイ１１は、一部（移動トレイ１２に対応する部分）が切りかかれた略矩形の平板状に形成され、その一端（ここでは、図（ａ）における給紙トレイ１１の上側端）がＡＤＦ１の筐体の側壁に係止されている。
【００２８】
移動トレイ１２は、給紙位置と排出位置との間を昇降自在に構成され、給紙位置及び排出位置において、上面が原稿Ｐの一部を支持するべく構成されたものである。すなわち、移動トレイ１２は、上昇時（図に実線で示す位置）には、その上面が給紙位置に載置された原稿Ｐの一部（図（ａ）における原稿Ｐの右下部）を支持し、下降時（図に破線で示す位置）には、その上面が排出位置に載置された原稿Ｐの一部（図（ａ）における原稿Ｐの右下部）を支持するべく構成されたものである。
【００２９】
リフト部材１３は、給紙トレイ１１に載置された原稿Ｐの先端部（図における原稿Ｐの左端部）を支持すると共に、給紙時に原稿Ｐの先端部（図における原稿Ｐの左端部）を給紙ローラ１４に圧着させるべく上方へ付勢する略平板状のものである。また、リフト部材１３は、基端が図４に示す回転軸２３に係止され、回転軸２３の回転に伴って、先端が昇降するものである。
【００３０】
給紙ローラ１４は、給紙位置に載置された原稿Ｐの上方に配設され、最上面の原稿Ｐを所定位置（ここでは、図１に示す画像読取部１１１が原稿Ｐに形成された画像を読み取る際の原稿Ｐの位置である原稿読取位置ＲＰ）まで給紙するものである。
【００３１】
排紙トレイ１５は、上面が所定の排紙位置に略平面状に形成され、上面に原稿読取位置ＲＰを通過して搬送された原稿Ｐが積層して載置されるものである。また、排紙トレイ１５は、その上面が、一部（移動トレイ１２に対応する部分）が切りかかれた略矩形の平板状に形成され、４方向の端面がＡＤＦ１の筐体の側壁と一体に形成されている。
【００３２】
排紙検出センサ１６（検出手段に相当する）は、排紙トレイ１５上の原稿Ｐの有無を検出するものであって、例えば、反射型のフォトインタラプタを備えている。すなわち、排紙トレイ１５上に原稿Ｐがある場合には、フォトインタラプタから出射された光が原稿Ｐで反射され、フォトインタラプタで検出されることにより、原稿Ｐがあると検出されるものである。また、排紙トレイ１５上に原稿Ｐがない場合には、フォトインタラプタから出射された光の原稿Ｐでの反射光が、フォトインタラプタで検出されないため、原稿Ｐがないと検出されるものである。
【００３３】
ここで、図３及び図４を用いて、移動トレイ１２の駆動機構を説明する。図３は、移動トレイ１２の駆動機構の構成図（平面図）である。ただし、便宜上、上面から見た場合に移動トレイ１２の駆動機構２を遮る部材は透視されるとして表記している。図４は、リンク棒２４の回転軸２３を中心とした回転により移動トレイ１２が昇降されることを説明するための図である。図３に示すように、移動トレイ１２の駆動機構２は、モータ２１、ギア２２、回転軸２３、リンク棒２４、係合部材２５、及び、支持部材２６を備えている。
【００３４】
モータ２１は、図１に示す制御部１４０からの指示に従って、ギア２２を介して回転軸２３を回転駆動するものである。ギア２２は、モータ２１からのトルクを回転軸２３に減速して伝達するものである。
【００３５】
回転軸２３は、ＡＤＦ１の筐体の側壁ＳＷに形成された支持孔２３１で回転可能に支持され、モータ２１からギア２２を介して伝達されたトルクによって回転するものである。リンク棒２４は、回転軸２３のトルクにより移動トレイ１２を昇降させるものであって、基端部（図３の左側端部）が回転軸２３に係止され、先端部（図３の右側端）が係合部材２５と係合するべく略Ｌ字状に形成されたものである。
【００３６】
係合部材２５は、移動トレイ１２の一方の端部（図３では上端部）に形成され、移動トレイ１２と一体に形成され、リンク棒２４と係合して、移動トレイ１２を昇降させるものである。また、係合部材２５は、リンク棒２４側の端部が、側面視（図４（ｃ）参照）中空の矩形状に形成され、この中空部にリンク棒２４の先端部が挿入されて係合される（図４（ａ）参照）ものである。更に、係合部材２５の側壁近傍には、支持部材２６を貫通させる孔２５１が形成されている。
【００３７】
支持部材２６は、上端及び下端がそれぞれ給紙トレイ１１及び排紙トレイ１５にそれぞれ係止され、移動トレイ１２を昇降自在に支持する略円柱状の部材である。すなわち、支持部材２６は、移動トレイ１２と一体に形成された係合部材２５に形成された孔２５１を摺動自在に貫通し、移動トレイ１２を支持部材２６に沿って昇降させるガイドとして機能するものである。
【００３８】
つぎに、図４を用いて、駆動機構２の動作を説明する。図４の（ａ）は、平面図であり、（ｂ）は側面図であり、（ｃ）は背面図（図（ｂ）の右側から見た図）である。移動トレイ１２を下降させる場合には、まず、リンク棒２４を所定方向（図４（ｃ）では、反時計回り）に回転させるべくモータ２１が駆動される。これに伴って、リンク棒２４の先端が下降し、その先端に係合している係合部材２５が下側に付勢される。そして、係合部材２５が支持部材２６に沿って下降することにより、係合部材２５と一体に形成された移動トレイ１２が、排紙位置に対応する図の破線位置まで下降する。
【００３９】
逆に、移動トレイ１２を上昇させる場合には、まず、リンク棒２４を逆方向（図４（ｃ）では、時計回り）に回転させるべくモータ２１が駆動される。これに伴って、リンク棒２４の先端が上昇し、その先端に係合している係合部材２５が上側に付勢される。そして、係合部材２５が支持部材２６に沿って上昇することにより、係合部材２５と一体に形成された移動トレイ１２が、給紙位置に対応する図の実線位置まで上昇する。
【００４０】
図５は、図１に示す制御部１４０の動作の一例を示すフローチャートである。まず、給紙トレイ１１上（給紙位置）に原稿がセットされたか否かの判定が行われる（Ｓ１０１）。原稿がセットされていないと判定された場合（Ｓ１０１でＮｏ）には、処理が待機状態とされる。原稿がセットされたと判定された場合（Ｓ１０１でＹｅｓ）には、操作部１２０からの読取り開始の操作が受け付けられて、読取り動作が開始される（Ｓ１０３）。
【００４１】
つぎに、モータ２１が駆動され、リフト部材１３が上昇されると共に、移動トレイ１２が下降される（Ｓ１０５、Ｓ１０７）。そして、予め設定された所定時間Ｔ１（＝移動トレイ１２の下降に要する時間＋余裕時間：例えば、２秒）が経過したか否かの判定が行われる（Ｓ１０９）。所定時間Ｔ１が経過していないと判定された場合（Ｓ１０９でＮｏ）には、処理が待機状態とされる。所定時間Ｔ１が経過したと判定された場合（Ｓ１０９でＹｅｓ）には、給紙トレイ１１上（給紙位置）の原稿の給紙動作が開始される（Ｓ１１１）。
【００４２】
そして、給紙トレイ１１上（給紙位置）の原稿が、１枚毎、図２に示す原稿読取位置ＲＰまで給紙されて、排紙トレイ１５上（排紙位置）に排出される（Ｓ１１３）。つぎに、給紙トレイ１１上（給紙位置）の全ての原稿について画像の読取りが完了したか否か（給紙トレイ１１上に原稿が残っているか否か）の判定が行われる（Ｓ１１５）。画像の読取りが完了したと判定された場合（Ｓ１１５でＹｅｓ）には、排紙検出センサ１６がＯＦＦ（排紙トレイ１５上に原稿が無い状態）であるか否かの判定が行われる（Ｓ１１７）。排紙検出センサ１６がＯＦＦであると判定された場合（Ｓ１１７でＹｅｓ）には、処理がステップＳ１２３に進められる。排紙検出センサ１６がＯＦＦではないと判定された場合（Ｓ１１７でＮｏ）には、画像の読取りが完了した時点から所定時間Ｔ２（取り忘れを判定する時間：例えば、５秒）が経過したか否かの判定が行われる（Ｓ１１９）。
【００４３】
所定時間Ｔ２が経過していないと判定された場合（Ｓ１１９でＮｏ）には、処理がステップＳ１１７に戻される。一方、所定時間Ｔ２が経過したと判定された場合（Ｓ１１９でＹｅｓ）には、図１に示す表示部１３０に配設されたブザーがＯＮ（ブザー音が出力）され（Ｓ１２１）、処理がステップＳ１１７に戻される。
【００４４】
ステップＳ１１７でＹｅｓの場合（排紙トレイ１５上の原稿が取り除かれた場合）には、図１に示す表示部１３０に配設されたブザーがＯＦＦ（ブザー音が停止）される（Ｓ１２３）。そして、モータ２１が駆動され、リフト部材１３が下降されると共に、移動トレイ１２が上昇され（Ｓ１２５、Ｓ１２７）、処理が終了される。
【００４５】
図６は、移動トレイ１２の原稿Ｐを支持する上面のサイズを示す概念図である。図６は、平面図であって、ここでは、利用可能な最小の原稿サイズであるＡ５サイズの原稿Ｐ１と、Ａ４サイズの原稿Ｐ２が給紙トレイ１１上にセットされた状態を示している。移動トレイ１２の上面（図の斜線網掛け部）は、矩形（ここでは、正方形）であって、その１の頂点（図では右上の頂点）の位置が、Ａ５サイズの原稿Ｐ１の中心位置ＣＰに、略一致している。すなわち、Ａ５サイズの原稿Ｐ１の略１／４が、移動トレイ１２の上面で支持される大きさに構成されている。
【００４６】
従って、移動トレイ１２の上面の幅Ｗ１は、一方の側板から原稿Ｐ１の幅方向の中心線との間隔Ｗ２と略一致するサイズ（例えば、１５０ｍｍ）に構成されている。移動トレイ１２の上面の長さは、Ａ５サイズの原稿Ｐ１の後端位置より大きいサイズ（例えば、１５０ｍｍ）であればよい。このように構成することにより、原稿が予め設定された最小サイズの原稿Ｐ１（ここでは、Ａ５サイズ）である場合にも、原稿Ｐ１の全面積の略１／４の部分が移動トレイ１２の上面で支持されることになるため、排出位置に排出された原稿を確実に視認することができる。
【００４７】
このようにして、排出位置において移動トレイ１２の上面が排出された原稿Ｐの一部を支持しており、移動トレイ１２の上面が給紙位置と排出位置との間で昇降移動する空間（＝移動トレイの上面の昇降中の軌跡に対応する空間）が存在するため、この空間を介して排出位置に載置された原稿が視認可能となるので、排出位置に排出された原稿の取り忘れを確実に防止することができる。
【００４８】
また、給紙方向と直交する方向の少なくとも一方の端部に形成され、支持部材２６を摺動可能に貫通させる孔２５１を介して、略円柱状の支持部材２６によって移動トレイ１２が昇降自在に支持されるため、簡単な構成で的確な軌跡を形成するべく移動トレイ１２を昇降させることが可能となる。
【００４９】
更に、給紙時に原稿Ｐの先端部を給紙ローラ１４に圧着させるべく付勢する略平板状のリフト部材１３と連動して、移動トレイ１２が昇降されるため、リフト部材１３の駆動機構２が移動トレイ１２を昇降するための駆動機構２と兼用され、スキャナ１００（ＡＤＦ１）を簡略化することができる。
【００５０】
加えて、排紙トレイ１５上の原稿Ｐの有無の検出結果に基づいて、移動トレイ１２が昇降されるため、適正なタイミングで移動トレイ１２を昇降することができる。例えば、給紙が開始された時点で移動トレイ１２を排出位置まで下降させ、排出された原稿が取り除かれた時点で移動トレイ１２を給紙位置まで上昇させることができる。
【００５１】
なお、本発明は、以下の形態にも適用可能である。
本実施形態では、リフト部材１３の駆動機構２が移動トレイ１２を昇降するための駆動機構２と兼用される場合について説明したが、リフト部材１３の駆動機構とは別に移動トレイ１２を昇降するための駆動機構を有する形態でもよい。図７は、移動トレイ１２の他の駆動機構３の背面図（図４（ｃ）に対応する図）である。駆動機構３は、モータ３１、プーリ３２、固定滑車３３、３４、係合部材３５、及び、支持部材３６を備えている。
【００５２】
係合部材３５及び支持部材３６は、それぞれ、図３、図４に示す係合部材２５、及び、支持部材２６に対応するものであり、略同一の構成である。ただし、係合部材２５は、その一端部（図７では、右端部）が、プーリ３２と係止されている。すなわち、モータ３１によって、固定滑車３３、３４に張架されたプーリ３２が回転し、プーリ３２に係止された係合部材３５が支持部材３６に沿って昇降するものである。この構成によれば、リフト部材１３の昇降とは独立して、移動トレイ１２を昇降させることができるため、より適正なタイミングで移動トレイ１２を昇降することが可能となる。
【図面の簡単な説明】
【００５３】
【図１】は、本発明に係る画像読取装置の概略構成の一例を示すブロック図である。
【図２】は、ＡＤＦの構成の一例を示す構成図である。
【図３】は、移動トレイの駆動機構の構成図（平面図）である。
【図４】は、リンク棒の回転軸を中心とした回転により移動トレイが昇降されることを説明するための図である。
【図５】は、図１に示す制御部の動作の一例を示すフローチャートである。
【図６】は、移動トレイの原稿を支持する上面のサイズを示す概念図である。
【図７】は、移動トレイの他の駆動機構の背面図である。
【符号の説明】
【００５４】
１００    スキャナ（画像読取装置）
１    ＡＤＦ（原稿給紙装置）
１１    給紙トレイ
１２    移動トレイ
１３    リフト部材
１４    給紙ローラ
１５    排紙トレイ
１６    排紙検出センサ（検出手段）
２    駆動機構（駆動手段）
２１    モータ
２２    ギア
２３    回転軸
２４    リンク棒
２５    係合部材
２６    支持部材
【図１】
2007320707.tif 000003
【図２】
2007320707.tif 000004
【図３】
2007320707.tif 000005
【図４】
2007320707.tif 000006
【図５】
2007320707.tif 000007
【図６】
2007320707.tif 000008
【図７】
2007320707.tif 000009